(57)【要約】【課題】  ネジ特に小ネジを対象物に対して確実に、安定してネジ締め出来るネジキャッチアタッチメントを提供する。【解決手段】  チューブ状のネジキャッチアタッチメント１００の挿入部１内にネジ６を挿入するとネジ６の頭部８は底面に形成されているネジ頭部保持部４に係着し、ネジ部９のみを突出させる。この状態で対象物にネジ部９を挿入しドライバ７とネジ６の頭部を回転することによりネジ締めが確実に行われる。【選択図】図１
2015199185.tif 000002
【特許請求の範囲】
【請求項１】
ドライバの先端が挿脱可能に形成される挿入穴を有する柔軟材からなるチューブ体であって、該チューブ体は前記挿入穴の上端側がテーパ状に上端に向かって拡径するものからなり、前記挿入穴の底端側にはネジの頭部が係着すると共に小押圧力によって拡径するネジ頭保持部が形成されることを特徴とするネジキャッチアタッチメント。
【請求項２】
チューブ体は上端側から底端側に向かう軸体の外面にアーチ状の凹溝が形成され、該凹溝は底端側において開口すべく形成されることを特徴とする請求項１に記載のネジキャッチアタッチメント。
【発明の詳細な説明】
【技術分野】
【０００１】  本発明は、磁力を使用することなくネジ、特に小型ネジを対象物に確実にネジ込み出来るコンパクトタイプのネジキャッチアタッチメントに関する。
【背景技術】
【０００２】  ネジを対象物に対してネジ締めする手段としては各種のものがあるが特に小ネジを対象物に対して確実に、かつ正確にネジ締め出来る手段としては余り開示されていない。磁力を使用するものとしては各種のものが考えられるが非金属のネジに対してはこの手段は適用されない。また、小ネジの場合、取り付け中にネジが落下するなどのトラブルが生じ易くこの時にネジを探すのに多くの時間を要し、場合によっては発見出来ない場合も多い。
また、確実、かつ正確に簡便にネジ締めをすることが必要であるが、本発明のような手段を用いることが一番望ましいものと思料される。
本発明の出願人の調査によるとネジキャッチ４の公知技術として「特許文献１」や「特許文献２」が挙げられる。
【先行技術文献】
【特許文献】
【０００３】
【特許文献１】特開平７−２６６２５１号（図１）
【特許文献２】実用新案公開平７−１１２７６号（図１）
【発明の概要】
【発明が解決しようとする課題】
【０００４】  前記の「特許文献１」の「特開平７−２６６２５１号」の「着脱式ビスキャッチ機構」は、その図１に示すようにドライバ固定部（１）にビス支持部Ａ，Ｂを折り曲げ形成するビス押さえ（２）の基部をスライド可能に固定し、ビス支持部Ａ，Ｂによりビスを押さえてドライバ軸（１１）を回転してネジ締めを行うものである。このもの自体としては確実なネジ締めが可能ではあるが、対象物の形状によってはビス押さえ（２）を挿入することが出来ず、小ネジを対象物に対して安定的に、かつ確実に取り付けることについては問題点が多い。【０００５】  一方、「特許文献２」の「実用新案公開平７−１１２７６号」の「ドライバー要のビスキャッチ治具」は、チューブ（Ｐ）を用いてその一端にビス（Ｂ）を挿入し、他端にドライバ（Ｄ）を挿入してネジ締めを行うものではあるが、ビス（Ｂ）がチューブ（Ｐ）内に安定支持されず、ドライバ（Ｄ）によるネジ締めが安定的に、かつ確実に行われない問題点を有する。また、小ネジに対しては必ずしも有効な治具とは言えない。【０００６】  本発明は、以上の事情に鑑みて創案されたものであり、対象物に対して特に小ネジが確実に、安定的にネジ締めすることが出来、取り付け中におけるネジの落下等も発生することなく、短時間で容易にネジ締めが出来るネジキャッチアタッチメントを提供することを目的とする。
【課題を解決するための手段】
【０００７】  本発明は、以上の目的を達成するため、請求項１の発明は、ドライバの先端が挿脱可能に形成される挿入穴を有する柔軟材からなるチューブ体であって、該チューブ体は前記挿入穴の上端側がテーパ状に上端に向かって拡径するものからなり、前記挿入穴の底端側にはネジの頭部が係着すると共に小押圧力によって拡径するネジ頭保持部が形成されることを特徴とする。【０００８】  また、請求項２の発明は、チューブ体は上端側から底端側に向かう軸体の外面にアーチ状の凹溝が形成され、該凹溝は底端側において開口すべく形成されることを特徴とする。
【発明の効果】
【０００９】  本発明の請求項１の「ネジキャッチアタッチメント」によれば、ドライバは拡径されているチューブ体の上端側から容易に挿入出来、ネジは底端側に形成されているネジ頭保持部により安定保持され、この状態でネジを対象物に近接させることによりネジ締めが確実に、かつ安定的に行われる。また、ネジ締めと同時に徐々にネジはネジ頭部保持部より開放され対象物側に螺合することになる。【００１０】  また、請求項２のネジキャッチアタッチメントによれば、チューブ体にはアーチ状の凹溝が下方を開口した状態で形成され、チューブ体の柔軟性を保持することが出来る。
【図面の簡単な説明】
【００１１】
【図１】本発明のネジキャッチアタッチメントの斜視図。
【図２】図１の正面図。
【図３】図１の側面図。
【図４】ネジ頭部星へ部の形状を示す底面図。
【図５】Ａ−Ａ線断面図を有するネジ頭部星へ部の形状を示す底面図。
【図６】図５のＡ−Ａ線断面図。
【図７】ドライバーによるネジ締めの状態を示す断面図。
【図８】ドライバーによるネジ締めの状態を示す断面図。
【図９】対象物として眼鏡フレームに小ネジを締め付け状態を示す斜視図。
【発明を実施するための形態】
【００１２】  以下、本発明のネジキャッチアタッチメントの実施の形態を図面を参照して詳述する。
【００１３】  本発明のネジキャッチアタッチメントは図１乃至図５に示す形状からなり、以下にその細部構造を説明する。
【００１４】  ネジキャッチアタッチメント１００は図１等に示すように柔軟性のチューブ体からなり、上端側にテーパ状に上端に向かって拡径する挿入部１と、この挿入部１の下端から底端に向かって形成される軸体２等とからなり、内部は底面３に向かって開穴する穴が形成されている。
【００１５】  底面３には図４乃至図６に示すようにネジ頭部係着のネジ頭部保持部４が開口形成される。そのネジ頭部保持部４は本実施例では三方向に伸延する三角状の孔からなり、この孔はドライバ等の小押圧によって開口して係着しているネジ頭部を開放する形状のものからなる。勿論、このネジ頭部保持部４は図４及び図５の形状に限定するものではない。
【００１６】  チューブ体の軸体の外面には図１乃至図５等に示すようにアーチ状の凹溝５が三本形成されている。この凹溝５はチューブ体全体を更に柔軟性にするためのものである。勿論、この凹溝は図示のものに限定するものではない。
【００１７】  本発明のネジキャッチアタッチメントによるネジ締め作用を説明する。
まず、ネジキャッチアタッチメント１００の挿入穴内に上端側からネジ６を挿入する。このネジ６をドライバ７によりその頭部８を押圧すると頭部８がネジ頭部保持部４に係着し、ネジ６のネジ部９がネジキャッチアタッチメント１００の下端から突出して保持される。
この状態でドライバ７を挿入して頭部８にその先端を係着することによりネジ６は安定してネジ廻しが出来る状態とする。図８はネジ６を締め込んだ状態を示し、ドライバ７に下方への押圧力をあたえることによりネジ６の頭部８がネジ頭部保持部４より開放され対象物１０にネジ込みされることになる。
【００１８】  図９は眼鏡フレーム１１に小ネジを螺着する凸における本発明のネジキャッチアタッチメント１００の使用状態を示すものである。
小さなネジは落下することなく眼鏡フレーム１１にネジ締めされることがわかる。
【００１９】  本発明は以上の内容のものからなるが、本発明は以上の内容に限定するものではなく、同一技術的範疇のものが適用されることは勿論である。
【産業上の利用可能性】
【００２０】  本発明のネジのすべて、特に小ネジを対象物に確実に、かつ安定的にネジ締めするに最も効果的のものであり、ネジの種類や対象物の種類については特に限定するものではなく、極めて広い範囲において適用され、その利用範囲は極めて広い。
【符号の説明】
【００２１】１      挿入部
２      軸体
３      底面
４      ネジ頭部保持部
５      凹溝
６      ネジ
７      ドライバ
８      頭部
９      ネジ部
１０    対象物
１１    眼鏡フレーム
１００  ネジキャッチアタッチメント
【図１】
2015199185.tif 000003
【図２】
2015199185.tif 000004
【図３】
2015199185.tif 000005
【図４】
2015199185.tif 000006
【図５】
2015199185.tif 000007
【図６】
2015199185.tif 000008
【図７】
2015199185.tif 000009
【図８】
2015199185.tif 000010
【図９】
2015199185.tif 000011